(57)【特許請求の範囲】
【請求項１】
ワイヤーを一定速度で巻き替える装置に備えられた、ワイヤーの走行をガイドするためのプーリーの両側に突き出るようにしてプーリーを支持する、正負のいずれか一方の極性をもったプーリー軸と、両端間の途中位置にＶ溝が形成された、前記プーリー軸と反対の極性をもった電極棒と、前記プーリー軸と電極棒とを非導通状態に支持する絶縁性の支持部材とを有していて、前記電極棒のＶ溝の最深部がワイヤーの走行ライン上に位置し、かつ、走行するワイヤーがプーリーに係わり合っているときに、前記電極棒に非接触となり、走行するワイヤーがプーリーから外れたときに、前記プーリー軸と電極棒に接触するように、前記プーリー軸と電極棒のそれぞれを前記支持部材に取付けたことを特徴とするワイヤーのプーリーからの外れを検出する機構。
【発明の詳細な説明】
【０００１】
【発明の属する技術分野】
本発明は母材に巻かれたファインワイヤーなどの極細線を、一定の速度で巻き替える装置に備えられた、ワイヤーのプーリーからの外れを検出する機構に関し、より詳細には、ワイヤーのプーリーからの外れを早期に検出して、巻きぐせや傷がついたまま巻き取られることを防止するためのワイヤーのプーリーからの外れを検出する機構に関する。
【０００２】
【従来の技術】
ファインワイヤーなどの極細線( 以下、ワイヤーと称する) は、巻き替え装置を介して、所定の芯材に巻かれて出荷される。このワイヤーを巻き替える装置は、例えば図３に示すようにワイヤー１を繰り出す巻き出し部１２と、それを所定の長さに巻き取る巻き取り部１３と、巻き出し部１２と巻き取り部１３との間にあって巻き取り張力を検出して、その巻き取り張力の検出結果を電圧に変えて巻き出し部１２にフィードバックして巻き出し回転速度を調整するための張力検出部１４と、走行ライン上にワイヤー１をガイドするプーリー２を有している。そして、このワイヤーを巻き替える装置においては、通常、巻き出し部１２から繰り出されたワイヤー１が走行ライン上に位置するプーリー２の溝に沿って所定の速度で走行するようになっている。
【０００３】
【発明が解決しようとする課題】
しかし、ワイヤーの巻き替えに際しては、作業者のセット操作のミスや、巻き替え装置の運転中に発生するワイヤーのぶれなどにより、ワイヤーがプーリーの溝から外れてしまうことがある。この場合、プーリーから外れたワイヤーはプーリーの側方の部品に引っかったまま走行してしまうことになり、ワイヤーに傷やねじれが発生していた。
【０００４】
本発明はワイヤーの巻き替え工程においてワイヤーがプーリーから外れた場合に、その外れを早期に検出して、傷やねじれなどがついた不良品の発生の防止が可能となるワイヤーのプーリーからの外れを検出する機構の提供を課題とする。
【０００５】
【課題を解決するための手段】
上述の課題を解決するため、本発明によるワイヤーのプーリーからの外れを検出する機構は、
ワイヤーを一定速度で巻き替える装置に備えられた、ワイヤーの走行をガイドするためのプーリーの両側に突き出るようにしてプーリーを支持する、正負のいずれか一方の極性をもったプーリー軸と、
両端間の途中位置にＶ溝が形成された、プーリー軸と反対の極性をもった電極棒と、
前記プーリー軸と電極棒とを非導通状態に支持する絶縁性の支持部材とを有していて、
前記電極棒のＶ溝の最深部がワイヤーの走行ライン上に位置し、かつ、走行するワイヤーがプーリーに係わり合っているときに、前記電極棒に非接触となり、走行するワイヤーがプーリーから外れたときに、前記プーリー軸と電極棒に接触するように、前記プーリー軸と電極棒のそれぞれを前記支持部材に取付けた構成となっている。
【０００６】
【発明の実施形態】
以下に、本発明のワイヤーのプーリーからの外れを検出する機構の実施形態について図を用いて説明する。
図１は本発明のワイヤーのプーリーからの外れを検出する機構の一実施形態の概略構成を示す斜視図である。
図２は、本実施形態において、ワイヤーがプーリーから外れたときの状態を示す要部斜視図である。
本実施形態のワイヤーのプーリーからの外れを検出する機構は、マイナスの極性をもったプーリー軸３とプラスの極性をもった電極棒４と絶縁性の電極ホルダー６とを有している。
【０００７】
プーリー軸３は、ワイヤー１の走行をガイドするためのプーリー２の両側に突き出るようにしてプーリー２を支持している。
電極棒４は、プーリー２より巻き取り側（図１において前方）に配置され、両端間の途中位置にＶ溝５が形成されている。
そして、プーリー軸３と電極棒４は、それぞれ電極ホルダー６に支持されていて、電極ホルダー６を介して導通を防止されている。そして、電極棒４のＶ溝５は、その最深部がワイヤー１の走行ライン上に位置している。また、プーリー軸３と電極棒４とは、走行するワイヤー１がプーリー２に係わり合っているときは、電極棒４に非接触となり、走行するワイヤー１がプーリー２から外れたときには、プーリー軸３と電極棒４に接触するような配置関係になっている。
また、プーリー軸３の端部３ａ、電極棒４の端部４ａにはリード線７が接続されていて、リード線７は図示省略した電源に接続されていて、プーリー軸３と電極棒４は、上で述べたように互いに異なる極性の電圧を帯びている。
なお、プーリー軸３と電極棒４は互いに異なる極性の電圧を帯びていればよく、それぞれが本実施形態の極性とは逆の極性の電圧を帯びるように電源にリード線７を接続してもよい。
【０００８】
なお、本実施形態のワイヤーのプーリーからの外れを検出する機構は、ワイヤーを巻き替える装置に設けられている。ワイヤーを巻き替える装置は、例えば図３に示すようにワイヤー１を繰り出す巻き出し部１２と、それを所定の長さに巻き取る巻き取り部１３と、巻き出し部１２と巻き取り部１３との間にあって巻き取り張力を検出して、その巻き取り張力の検出結果を電圧に変えて巻き出し部１２にフィードバックして巻き出し回転速度を調整するための張力検出部１４を有しており、ワイヤー１をガイドするプーリー２は走行ライン上に配置されている。また、ワイヤーを巻き替える装置には、ワイヤーを走行させるための駆動手段（図示省略）が設けられていて、この駆動手段を駆動させることにより、所定の速度でプーリー２の溝２ａに沿ってワイヤー１が走行して巻き出し部１２から巻き取り部１３へと巻き取られるようになっている。
また、本実施形態のワイヤーのプーリーからの外れを検出する機構には、プーリー軸３と電極棒４との導通の有無を検出する導通検出手段（図示省略）が、リード線７を介して構成される回路の一部に備えられている。導通検出手段は、図示省略した制御部に接続されていて、導通状態を検知したときに、制御部を介して図示省略したワイヤーを走行させるための駆動手段に信号を送り、駆動手段の駆動を停止させるようになっている。
【０００９】
次に図１に基づき、本実施形態によるワイヤーの外れの検出動作について説明する。
通常、ワイヤー１が正しくセットされている時は、図１に示すようにワイヤー１はプーリー２の溝２ａの中に収まっていて、溝２ａの表面と摩擦接触して走行させられる。
このとき、本実施形態では、ワイヤー１は電極棒４の表面には接触しない。ところがワイやー１が作業者によるセット時のミス、または巻き取り時のワイヤー１のぶれによってプーリー２から外れると、走行ラインの右または左側に落下する。するとワイヤー１はリ一ド線７を通じてプラス電圧を帯びた電極棒４とマイナス電圧を帯びたプーリー軸３とに引っかかることにより導通する。電極棒４とプーリー軸３とが、ワイヤー１を介して導通したとき図示省略した導通検出手段が、導通状態を検知し、導通検出手段は導通を検知すると図示省略した制御部を介して、図示省略したワイヤーを走行させるための駆動手段に信号を送り、駆動手段の駆動を停止させる。これにより、ワイヤー１がプーリーから外れた場合にプーリーの側方の部品に引っかったまま走行してワイヤーに傷やねじれが発生することを防ぐことができる。
【００１０】
ところで、ワイヤー１がプーリー２から外れた場合に、プーリー軸３および電極棒４にワイヤーが接触する圧力が強ければ導通をより確実なものとすることができる。そのためには、電極棒４の軸芯を上方に上げてできる限りワイヤーの走行位置に近づけることが望まれる。
本実施形態では電極棒４にＶ溝５を形成したので、プーリー２の溝２ａ内を走行中のワイヤー１がＶ溝５に接触しない高さにまで、電極棒４の軸芯を上方に上げて電極ホルダー６に取り付けることができる。そして、ワイヤー１がプーリー２に正常にセットされているときは、電極棒４とは導通せず、他方、ワイヤー１がプーリー２から外れた場合には、ワイヤー４がプーリー軸３および電極棒４に接触する圧力が強くなり、プーリー軸３と電極棒４とをより確実に導通させることができる。その結果、検出手段などを介して、ワイヤー１がプーリー２からの外れを検出する精度が格段に向上する。
【００１１】
【発明の効果】
以上、本発明によれば、ワイヤーの巻き収り時に発生する、ワイヤーのプーリーからの外れを早期且つ確実に検出して、不良品の発生を防止することが可能となる
【図面の簡単な説明】
【図１】本発明のワイヤーのプーリーからの外れを検出する機構の一実施形態の概略構成を示す斜視図である。
【図２】本実施形態において、ワイヤーがプーリーから外れたときの状態を示す要部斜視図である。
【図３】ファインワイヤー巻き替え装置の構成概念図である。
【符号の説明】
１            ワイヤー
２            プーリー
２ａ          プーリーの溝
３            プーリー軸
４            電極棒
５            Ｖ溝
６            電極ホルダー
７            リード線
１２          巻き出し部
１３          巻き取り部
１４          張力検出部
【図１】
0003651253.tif 000002
【図２】
0003651253.tif 000003
【図３】
0003651253.tif 000004